(57)【要約】      （修正有）【課題】体液サンプル内で検体濃度レベルを検出するための検体測定器は、電気的且つ内部計測構成要素を害することなく、クリーニング液体によってクリーニングされ、且つ滅菌され得る。【解決手段】検体測定器１００は、洗浄可能であり、且つ浸水可能であり、並びに、シールされたセンサーコネクタ１１５と、シールされたバッテリーコネクタ１２７と、場合によりシールされたＵＳＢコネクタと、を含んでもよく、これらは、液体が検体測定器の内部チャンバーに入ることなく、且つ液体が内部電気部品と接触することなく、クリーニング液体に対して晒されることができる。シールされた表示画面１２０及びシールされたキーパッド１２５は、液体が内部チャンバーに入ることが防止されるように提供される。製造方法及び検体センサー１０５を使用するシステムが多数の他の態様として提供される。【選択図】図１Ａ
2019066483.tif 000002
【特許請求の範囲】
【請求項１】
内部チャンバーを形成するために、互いに結合する第１部分及び第２部分を有する測定器ハウジングと、
検体センサーをポート入口内に受容するために構成されたセンサーポートを有する検体センサー電気コネクタと、
前記センサーポートに連結され、前記ポート入口から分離している複数の洗浄ポートであって、クリーニング流体を受容するように構成されている複数の洗浄ポートと、
を含んでなることを特徴とする検体測定器。
【請求項２】
前記第１部分及び前記第２部分は、密閉してシールされた内部チャンバーとして、前記内部チャンバーを形成するシール接合面を含むことを特徴とする、請求項１に記載の検体測定器。
【請求項３】
前記内部チャンバー内に検体測定を実施するための電子回路を更に含むことを特徴とする、請求項１に記載の検体測定器。
【請求項４】
前記第１部分及び前記第２部分の一方にシールされた画面表示と、
前記第１部分及び前記第２部分の一方にシールされたキーパッドと、
を更に含むことを特徴とする、請求項１に記載の検体測定器。
【請求項５】
前記第１部分又は前記第２部分を通じて前記内部チャンバー内への、シールされた電気的接続を含む、取り外し可能なバッテリーパックを更に含むことを特徴とする、請求項１に記載の検体測定器。
【請求項６】
液体不透過性の内部チャンバーを有する測定器ハウジングであって、凹部ポケットを有する測定器ハウジングと、
検体測定を実施するための電子回路であって、前記内部チャンバー内に配置された電子回路と、
前記凹部ポケット内に受容された検体センサー電気コネクタであって、ポート入口と、前記ポート入口を介して検体センサーを受けるように構成されたセンサーポートと、前記センサーポート内に配置された少なくとも２つの電極であって、シール接続連結を介して前記電子回路に結合された少なくとも２つの電極と、前記ポート入口から分離した少なくとも一つの洗浄ポートと、を有する検体センサー電気コネクタと、
を含んでなる、検体測定器であって、
少なくとも２つの電極への液体の適用が当該検体測定器に悪影響を及ぼさないように、少なくとも１つの前記洗浄ポートと前記ポート入口との間に流体流路が形成されていることを特徴とする、検体測定器。
【請求項７】
流体が前記内部チャンバーに入るのを防止するために、前記測定器ハウジングにシールされた表示画面と、
流体が前記内部チャンバーに入るのを防止するために、前記測定器ハウジングにシールされたキーパッドと、
を更に含むことを特徴とする、請求項６に記載の検体測定器。
【請求項８】
流体が前記内部チャンバーに入るのを防止するために、前記測定器ハウジングにシールされたバッテリーコネクタを更に含むことを特徴とする、請求項６に記載の検体測定器。
【請求項９】
少なくとも２つの前記電極にシール接続を介してそれぞれ結合された少なくとも２つの電気コネクタであって、それぞれの端部が前記検体センサー電気コネクタのコネクタ本体を越えて延びている少なくとも２つの前記電気コネクタを、さらに含むことを特徴とする、請求項６に記載の検体測定器。
【請求項１０】
少なくとも１つの前記洗浄ポートが複数の細長いスロットを含むことを特徴とする、請求項６に記載の検体測定器。
【請求項１１】
液体不透過性の内部チャンバーを有する測定器ハウジングと、
検体測定を実施するための電子回路であって、前記内部チャンバー内に配置された電子回路と、
前記電子回路に結合されたバッテリーコネクタを有する交換可能なバッテリーカートリッジであって、前記内部チャンバーへの液体の侵入を防ぐように前記バッテリーコネクタがシールされている交換可能なバッテリーカートリッジと
を含んでなることを特徴とする検体測定器。
【請求項１２】
前記測定器ハウジングの凹部ポケット内に受容された検体センサー電気コネクタであって、ポート入口を有する検体センサー電気コネクタと、前記ポート入口を介して検体センサーを受け入れるように構成されたセンサーポートと、前記センサーポート内に配置された少なくとも２つの電極であって、シール接続を介して前記電子回路に結合された少なくとも２つの電極と、前記ポート入口から分離した少なくとも一つの洗浄ポートと、を有する検体センサー電気コネクタをさらに含むことを特徴とする、請求項１１に記載の検体測定器。
【請求項１３】
表示画面と、キーパッドと、検体センサーポートと、ハウジング本体の内部チャンバー内に配置された電子回路と結合するバッテリーパックと、を含んでなる検体測定器であって、前記内部チャンバーが、当該検体測定器が洗浄可能で、且つ浸水可能であるように、全体的にシールされ、且つ液体不浸透性であることを特徴とする検体測定器。
【請求項１４】
検体測定器を製造する方法であって、
測定器ハウジングの液体不透過性の内部チャンバー内に検体測定を行うための電気回路を封入するステップと、
前記測定器ハウジングの凹型ポケット内に検体センサー電気コネクタユニットを着座させるステップであって、前記検体センサー電気コネクタユニットが、ポート入口と、前記ポート入口を介して検体センサーを受けるように構成されたセンサーポートと、前記センサーポート内に配置された少なくとも２つの電極と、前記ポート入口から分離した少なくとも一つの洗浄ポートと、を有する、検体センサー電気コネクタユニットを着座させるステップと、
を含んでなる検体測定器を製造する方法であって、
検体センサー電気コネクタユニットを着座させる前記ステップが、少なくとも２つの前記電極への液体の適用が前記検体測定器に悪影響を及ぼさないように、シール接続を介して少なくとも２つの前記電極を前記電気回路に接続させるステップを含むことを特徴とする、検体測定器を製造する方法。
【請求項１５】
前記測定器ハウジングに交換可能なバッテリーカートリッジを取り付けるステップをさらに含み、交換可能な前記バッテリーカートリッジが、前記内部チャンバーへの液体の侵入を防ぐための密封バッテリーコネクタを有することを特徴とする、請求項１４に記載の検体測定器を製造する方法。
【請求項１６】
前記内部チャンバーへの液体の侵入を防ぐために、表示画面を前記測定器ハウジングにシールするステップと、
前記内部チャンバーへの液体の侵入を防ぐために、キーパッドを前記測定器ハウジングにシールするステップと、
前記内部チャンバーへの液体の侵入を防ぐために、ユニバーサル・シリアル・バス（ＵＳＢ）ポートを前記測定器ハウジングにシールするステップと、
の中から少なくとも一つのステップをさらに含むことを特徴とする、請求項１４に記載の検体測定器を製造する方法。
【請求項１７】
検体測定器を製造する方法であって、
液体不透過性の内部チャンバーを有する検体測定器ハウジングを提供するステップと、
少なくとも２つの電極を有する検体センサー電気コネクタを提供するステップと、
検体測定器バッテリーコネクタを提供するステップと、
前記検体センサー電気コネクタと前記内部チャンバーとの間でシールされた接続を形成するステップと、
前記検体測定器バッテリーコネクタと前記内部チャンバーとの間でシールされた接続を形成するステップと、
を含んでなることを特徴とする、検体測定器を製造する方法。
【請求項１８】
前記検体測定器ハウジングに機械的に且つ電気的に連結するために構成されたバッテリーカートリッジであって、バッテリーケミストリ電力管理回路を含むバッテリーカートリッジを提供するステップをさらに含むことを特徴とする、請求項１７に記載の検体測定器を製造する方法。
【発明の詳細な説明】
【技術分野】
【０００１】
［関連出願］
本願は、２０１３年８月１２日に提出された、「洗浄可能な検体測定器、シールされたコネクタ、及びその製造方法並びにその使用方法」と題する米国仮特許出願第６１／８６４，９５８号（代理人整理番号ＢＨＣ１２４０１７ＵＳ）の優先権を主張しており、それらは、全ての目的のために、その全体を参照して本願明細書に組み込まれる。
【背景技術】
【０００２】
本願発明は、体液サンプルにおいて検体濃度レベルを検出するために使用されることができる検体測定器に関しており、検体センサー電気コネクタ並びにそれらの使用方法及びそれらの製造方法に関する。
【０００３】
体液内の検体濃度レベルの監視は、健康診断の重要な部分とされる場合がある。例えば、電気化学的な検体センサーは、糖尿病の治療又はケアの一部として、患者の血糖値を監視するための検体測定器と共に採用されてもよい。他の種類の検体は同様に測定されてもよい。電気化学的な検体センサーは、例えば、血液又は他の間質液の単一のサンプル等から、体液サンプルにおける検体濃度レベルを検出するために採用されてもよい。体液は、ランセットを使用して（例えば、ピン又は針によって）患者から得られてもよい。典型的に、体液サンプルが得られた後で、体液サンプルは次いで、体液サンプルの検体濃度レベル（例えば、グルコース検体レベル）の測定のために、検体センサー（例えば、検体センサーストリップ）に移送されることができる。
【０００４】
プロセスの一部として、検体センサーに形成された電極は、検体測定器の電気コネクタと電気的に接触した状態で配置される。一般的に、検体センサー（例えば、センサーストリップ）は、センサーコネクタのセンサーポート内に挿入される。しかしながら、センサーコネクタハウジングの一部は、検体測定器の内側に対して部分的に開いている場合があり、電気的接続は、検体測定器の内部内で行われる。接続が確立されると、体液はセンサーストリップの受容端部に適用され、検体計測が実行される。このプロセス中に、血液などの体液は、例えばポートに隣接する部分等、測定器の外側部分を汚染する場合がある。さらに、ポート及び内部電気的接続は汚染された状態になる場合がある。
【０００５】
それ故に、汚染による所定の問題を解決することができる体液検体検査のために構成された検体測定器を提供する必要がある。
【発明の概要】
【課題を解決するための手段】
【０００６】
第１の態様において、検体測定器が提供される。検体測定器は、検体センサーをポート入口内に受容するように構成されたセンサーポートを有する検体センサー電気コネクタと、センサーポートに連結された少なくとも１つの洗浄ポートであって、ポート入口から分離しており、クリーニング流体を受容するように構成される、少なくとも１つの洗浄ポートと、を含む。
【０００７】
他の態様において、他の検体測定器が提供される。検体測定器は、内部チャンバーを形成するために、互いに結合する第１部分及び第２部分を有する測定器ハウジングと、内部チャンバー内の電子回路と、検体センサー電気コネクタと、を備えており、前記検体センサー電気コネクタは、第１部分又は第２部分を通じて内部チャンバー内への、シールされた電気的接続と、検体センサーをポート入口内で受容するように構成されたセンサーポートと、前記センサーポートに連結された少なくとも１つの洗浄ポートであって、前記少なくとも１つの洗浄ポートが前記ポート入口から分離しており、前記少なくとも１つの洗浄ポートがクリーニング流体を受容するために構成される、少なくとも１つの洗浄ポートと、を含む。
【０００８】
方法の態様において、検体測定器をクリーニングする方法が提供される。前記方法は、検体センサーを受容するために構成されたセンサーポートであって、ポート入口及び洗浄ポートを有する、センサーポートを有する検体測定器を提供するステップと、前記センサーポートをクリーニングするために前記洗浄ポートを通じてクリーニング流体を流すステップと、を含む。
【０００９】
他の方法の態様において、検体測定器を製造する方法が提供される。前記方法は、内部チャンバーを有する検体測定器ハウジングを提供するステップと、少なくとも２つの電極を有する検体センサー電気コネクタを提供するステップと、検体測定器バッテリーコネクタを提供するステップと、前記検体センサー電気コネクタと前記内部チャンバーとの間でシールされた接続を形成するステップと、前記検体測定器バッテリーコネクタと前記内部チャンバーとの間でシールされた接続を形成するステップと、を含む。
【００１０】
他の態様において、他の検体測定器が提供される。検体測定器は、内部チャンバーを形成するために、互いに結合し、且つ互いに対してシールされる第１部分及び第２部分を有する測定器ハウジングと、前記内部チャンバー内の電子回路と、ポート入口内に検体センサーを受容するために構成されたセンサーポートと、前記第１部分又は前記第２部分を通じて前記内部チャンバー内への、シールされた電気的接続を含む、前記センサーポート内の検体センサー電気コネクタと、前記第１部分及び前記第２部分のうちの一方に対してシールされた表示画面と、前記第１部分及び前記第２部分のうちの一方に対してシールされたキーパッドと、前記第１部分又は前記第２部分を通じて前記内部チャンバー内への、シールされた電気的接続を含む、取り外し可能なバッテリーパックと、を含む。
【００１１】
その他の態様において、その他の検体測定器が提供される。検体測定器は、表示画面と、キーパッドと、検体センサーポートと、ハウジング本体の内部チャンバー内に位置した電子回路と結合する電池パックと、を備えており、前記内部チャンバーは、検体測定器が洗浄可能であり、且つ浸水可能であるように、全体的にシールされ、且つ液体不浸透性である。
【００１２】
本願発明のさらなる他の態様、特徴、及び利点は、以下の詳細な説明から容易に明らかであってもよく、その詳細な説明には、本発明を実施するために考えられた最良の実施形態を含む、多数の例示的な実施形態および実装が記載され、且つ図示される。また、本発明は他の実施形態および異なる実施形態が可能であり、そのいくつかの詳細は、全て本願発明の技術的範囲から逸脱することなく、様々な点で修正することができる。したがって、図面および説明は、本質的に例示するものして見なされるべきであり、限定ではないと見なされるべきである。本発明は、本願発明の技術的範囲内に含まれるすべての修正、均等物、および代替物をカバーする。
【００１３】
以下に記載された図面は、例示の目的のみのためであり、必ずしも一定の縮尺で描かれていない。これらの図面は、決して本発明の技術的範囲を限定するものではない。
【図面の簡単な説明】
【００１４】
【図１Ａ】実施形態による洗浄可能なセンサーコネクタを含む洗浄可能な検体測定器の上面図を図示する。
【図１Ｂ】切断線１Ｂ−１Ｂに沿って切断された、図１Ａの検体測定器の部分的な断面図を図示する。
【図１Ｃ】実施形態による洗浄可能なセンサーコネクタを含む洗浄可能な検体測定器の部分的斜視図を図示する。
【図１Ｄ】分離して示された、図１Ｃの洗浄可能なセンサーコネクタの正面図を図示する。
【図１Ｅ】実施形態による洗浄可能なセンサーコネクタを含む洗浄可能な検体測定器の所定の構成要素の様々な斜視図を図示する。
【図１Ｆ】実施形態による洗浄可能なセンサーコネクタを含む洗浄可能な検体測定器の所定の構成要素の様々な斜視図を図示する。
【図１Ｇ】実施形態による洗浄可能なセンサーコネクタを含む洗浄可能な検体測定器の所定の構成要素の様々な斜視図を図示する。
【図１Ｈ】実施形態による洗浄可能なセンサーコネクタを含む洗浄可能な検体測定器の所定の構成要素の様々な斜視図を図示する。
【図２】実施形態による検体測定器を使用する方法のフローチャートを図示する。
【図３】実施形態による検体測定器を製造する方法のフローチャートを図示する。
【図４】実施形態による入れ替え可能なバッテリーカートリッジを含む洗浄可能な検体測定器の斜視図を図示する。
【図５】実施形態による入れ替え可能なバッテリーカートリッジを含む洗浄可能な検体測定器の斜視図を図示する。
【図６】実施形態によるバッテリーカートリッジハウジングの斜視図を図示する。
【図７】実施形態によるバッテリーカートリッジハウジングの斜視図を図示する。
【図８】実施形態による入れ替え可能なバッテリーカートリッジの断面図を図示する。
【図９】実施形態による入れ替え可能なバッテリーカートリッジの上面図を図示する。
【図１０】実施形態による他の入れ替え可能なバッテリーカートリッジの断面図を図示する。
【図１１】実施形態による他の入れ替え可能なバッテリーカートリッジの上面図を図示する。
【図１２】実施形態によるバッテリーカートリッジコネクタ及びプリント回路基板の斜視図を図示する。
【図１３】実施形態によるバッテリーカートリッジハウジングの斜視図を図示する。
【図１４】実施形態による図１３のバッテリーカートリッジハウジング内への入れ替え可能なバッテリーカートリッジの組立体の断面図を図示する。
【図１５】実施形態による図１３のバッテリーカートリッジハウジング内への入れ替え可能なバッテリーカートリッジの断面図を図示する。
【図１６】実施形態による図１３のバッテリーカートリッジハウジング内への他の入れ替え可能なバッテリーカートリッジの組立体の断面図を図示する。
【図１７】実施形態による図１３のバッテリーカートリッジハウジング内への他の入れ替え可能なバッテリーカートリッジの組立体の断面図を図示する。
【図１８】実施形態による入れ替え可能なバッテリーカートリッジと検体測定器との間の電気的な接続を図示する概略的な回路図を図示する。
【図１９】実施形態による入れ替え可能なバッテリーカートリッジと検体測定器との間の電気的な接続を図示する概略的な回路図を図示する。
【図２０】実施形態による入れ替え可能なバッテリーカートリッジと検体測定器との間の電気的な接続を図示する概略的な回路図を図示する。
【図２１】実施形態による入れ替え可能なバッテリーカートリッジと検体測定器との間の電気的な接続を図示する概略的な回路図を図示する。
【発明を実施するための形態】
【００１５】
次いで、参照は、添付の図面において図示される、この開示の例示的な実施形態について詳細になされるであろう。可能な限り、同じ参照番号は同一の部品又は同様の部品を指すために図面全体を通して使用される。
【００１６】
臨床現場でのクリーニング及び消毒の有効性に関する特定の規制要件がより厳格になってきている。さらに、高レベルの汚染の場合において、検体測定器によって行われる検体計測自体に悪影響を与える場合がある。なぜならば、検体測定器（例えば、検体センサーストリップ）と電気コネクタの１つ又は複数の電極との間の電気的な接続が汚染される場合があるからであり、又はいくつかの方法で悪影響を与える場合があるからである。
【００１７】
この懸念を考慮して、本願発明の実施形態は、洗浄可能である全体的に密閉してシールされた検体測定器を提供することができ、いくつかの実施形態において、損傷を受けることなく、液体内に入れることさえできる。それ故に、シールされた検体測定器は、消毒液などの洗浄流体内で洗浄されることができる。１つ又は複数の実施形態において、検体測定器の１つ又は複数の電気的な接続は、シールされることができる。例えば検体センサーポート等のいくつかの構成要素は、洗浄可能であってもよい。通信コネクタ（例えば、ユニバーサル・シリアル・バスポート（ＵＳＢポート））及び／又は電池接続等の他の電気的な接続は、シールされてもよく、及び／又は、洗浄可能であってもよく、及び／又は取り外し可能であってもよい。いくつかの実施形態において、検体測定器自体は、全体的に洗浄可能であり、検体センサーとの電気的な接続を可能にするセンサーポートを含むそれらの全ての接続は、シールされることができ、且つ洗浄可能である。
【００１８】
一又は複数の実施形態による検体測定器は、グルコース、フルクトース、乳酸、ケトン、微量アルブミン、ビリルビン、総コレステロール、尿酸、脂質、トリグリセリド、高密度リポタンパク質（ＨＤＬ）、低密度リポタンパク質（ＬＤＬ）、及びヘモグロビンＡ１ｃなどの、あらゆる検体を測定するために使用されてもよい。それらの検体は例えば、全血、血清、血漿、間質液、尿等で検出されてもよい。他の種類の検体は、適切な試薬が存在する場合に測定されることができる。
【００１９】
洗浄可能な検体測定器、洗浄可能な検体センサー電気コネクタ、並びに検体測定器の使用方法、及び検体測定器の製造方法のそれらの実施形態及び他の実施形態は、図１Ａ〜図２１を参照して以下に記載される。
【００２０】
図１Ａ〜１Ｄは、１つ以上の実施形態による、洗浄可能である検体測定器１００の第１の例の様々な図面を図示する。検体測定器１００は、測定器ハウジング１０２を含むことができ、この測定器ハウジング１０２は、内部チャンバー１０８（図１Ｂ）を形成するために互いに係合する第１部分１０４及び第２部分１０６などの２つの部品から製造されてもよい。内部チャンバー１０８は、内部電気回路の一部又は全てを含むことができる、プリント回路基板１１０（図１Ａにおいて鎖線で示される）などの検体測定器１００の様々な内部構成要素を含有するように構成されてもよい。内部チャンバー１０８は、検体測定器１００が洗浄可能であり且つ浸水可能であるように、全体的にシールされ、且つ液体不浸透性である。第１部分１０４及び第２部分１０６は、外部環境から密封される、シールされたチャンバーとして内部チャンバー１０８を形成するために、それらの接触面で互いにシールされてもよい。内部チャンバー１０８は、密閉してシールされてもよい。測定器ハウジング１０２の第１部分１０４及び第２部分１０６は、例えば、プラスチック射出成形部品などの絶縁材料から形成されてもよい。シーリングは、第１部分１０４及び第２部分１０６を超音波溶接することによって提供されてもよく、又は、第１部分１０４と第２部分１０６との間にシーリング材（例えば、硬化性シーリング材）、Ｏリング、ガスケット又は同様のものを提供することによって、提供されてもよい。他の適切なシーリング方法が使用されてもよい。第２部分１０６への第１部分１０４の接続は、シーリング材、Ｏリング、ガスケット、又は同様のものを使用する場合に、ねじ、リベット、第１部分１０４及び第２部分１０６に成形されたスナップフィットコネクタ、又は、同様のものによって行われてもよい。
【００２１】
プリント回路基板１１０は、内部チャンバー１０８の領域内に存在してもよい。プリント回路基板１１０は、検体計測及びその表示を実行するために伝統的である、電力供給、プロセッサ、メモリ、及び同様のもの等の従来の電子部品を含んでもよい。プリント回路基板１１０は、第１部分１０４及び第２部分１０６のうちの一方又は両方に形成された突起及び／又は凹部によって、内部チャンバー１０８内で規定の位置に保持されてもよい。
他の適切な位置付け特徴が使用されてもよい。
【００２２】
測定器ハウジング１０２は、第１端部１１２と、第１端部１１２の反対側である第２端部１１３と、を有してもよい。第１端部１１２は、検体センサー電気コネクタ１１５を含むことができる。この検体センサー電気コネクタ１１５は完全に洗浄可能であり、そのポート入口１１９内に検体センサー１０５を受容するように構成されたセンサーポート１１６を有する。検体センサー電気コネクタ１１５はまた、ポート入口１１９から離れているセンサーポート１１６に連結された１つ又は複数の洗浄ポート１１８を有してもよい。洗浄ポート１１８は、それを通じてクリーニング流体を受容するように構成されてもよい。検体センサー電気コネクタ１１５は、コネクタ本体１１７を含むことができ、このコネクタ本体１１７は、第１部分１０４及び／又は第２部分１０６の凹部ポケット１１４内に受容されることができる。いくつかの実施形態において、検体センサー電気コネクタ１１５のコネクタ本体１１７は、２つ又は複数の電極１２１を受容する第１壁と、第１壁と反対側の第２壁であって、１つ又は複数の洗浄ポート１１８を含む第２壁とを含むことができる。２つ又は複数の電気コネクタ１２２は、第１壁で２つ又は複数の電極１２１に連結されてもよい。いくつかの実施形態において、２つ又は複数の電気コネクタ１２２は、電気コネクタピンであってもよい。シール層１２３は、いくつかの実施形態において、例えば凹部ポケット１１４内で、検体センサー電気コネクタ１１５の表面と第１部分１０４及び／又は第２部分１０６との間に設けられてもよい。
【００２３】
いくつかの実施形態において、洗浄ポート１１８は、センサーポート１１６のフラッシング（ｆｌｕｓｈｉｎｇ）を可能にする、流体流路を形成するように、ポート入口１１９と協働してもよい。洗浄ポート１１８は、検体センサー電気コネクタ１１５の第１壁を通じて形成されてもよい。図１Ｃに最も良く示されるように、洗浄ポート１１８は、複数の細長いスロットとして構成されてもよい。洗浄ポート１１８は合計で、１つ又は複数であってもよい。
【００２４】
検体測定器１００は、表示画面１２０をさらに含んでもよい。この表示画面１２０は、流体が表示画面１２０と第１部分１０４及び／又は第２部分１０６との間から内部チャンバー１０８に入ることを防止するために、第１部分１０４及び／又は第２部分１０６に対してシールされてもよい。上記に記載されたシール方法と同様のシール方法が使用されてもよい。例えば、シール材料層１２４は、表示画面１２０の周辺のまわりに設けられてもよい。
【００２５】
検体測定器１００は、キーパッド１２５をさらに含んでもよく、このキーパッド１２５は、流体がキーパッド１２５と第１部分１０４及び／又は第２部分１０６との間から内部チャンバー１０８に入ることを防止するために、第１部分１０４及び／又は第２部分１０６に対してシールされてもよい。キーパッド１２５と第１部分１０４及び／又は第２部分１０６との間のシールは、キーパッド１２５のキーを完全に覆っている薄層１２６を採用することによって設けられてもよい。薄層１２６は、第１部分１０４及び／又は第２部分１０６に対してシールされてもよく、それらに接着されてもよい。薄層は、いくつかの実施形態において、プラスチック製シートであってもよく、それに印刷されたしるし、そうでなければそれにマークされたしるしを含んでもよい。キーパッド１２５又は個々のキーをシールするための他の手段は使用されてもよい。
【００２６】
いくつかの実施形態において、検体測定器１００は、バッテリーコネクタ１２７を含んでもよい。このバッテリーコネクタ１２７は、流体がバッテリーコネクタ１２７と第１部分１０４及び／又は第２部分１０６との間から内部チャンバー１０８に入ることを防止するために、第１部分１０４及び／又は第２部分１０６に対してシールされてもよい。バッテリーコネクタ１２７は、本願明細書に記載されるように、取り外し可能なバッテリーパック１２８の使用を可能にする。
【００２７】
検体測定器１００はまた、例えば、流体がユニバーサル・シリアル・バス（ＵＳＢ）ポートと第１部分１０４及び／又は第２部分１０６との間から内部チャンバー１０８に入ることを防止するために、一の側で第１部分１０４及び／又は第２部分１０６に対してシールされたユニバーサル・シリアル・バス（ＵＳＢ）ポートを含んでもよい。ユニバーサル・シリアル・バス（ＵＳＢ）ポートのためのシールされた接続は、バッテリーコネクタ１２７のための接続と同じものであってもよい。エラストマーシールなどの接続シール１２７Ｓは、接続接触面をシールするために、コネクタに設けられてもよく、又は第１部分１０４及び／又は第２部分１０６に設けられてもよい。
【００２８】
図１Ｅ〜１Ｈにさらに示されるように、且つそうでなければ本願明細書に示されるように、検体測定器１００は、内部チャンバー１０８内への液体の侵入を可能にする開口部を取り除くことができ、クリーニング流体又は他の液体によってその洗浄又はクリーニングの際に、排水し検体センサー電気コネクタ１１５を乾燥させるように構成されてもよい。いくつかの実施形態において、検体センサー電気コネクタ１１５は、検体測定器１００の第１部分１０４において凹部ポケット１１４内に着座されてもよい。いくつかの実施形態において、電気コネクタは、第１部分１０４において１つ又は複数の孔を通じて突出することができ、プリント回路基板１１０上の導電性レセプタクル特徴に接続されるように構成されてもよい（例えば、導電性レセプタクル特徴内に差し込まれるように構成されてもよく、又はそうでなければ導電性レセプタクル特徴と接触するように構成されてもよい）。プリント回路基板１１０上の導電性パッドと接触する屈曲可能なリーフスプリング型接触子等の他の適切な電気コネクタが使用されてもよい。いくつかの実施形態において、電気コネクタは、プラスチック（例えば、第１部分１０４）と金属との間のシールを形成する、検体センサー電気コネクタ１１５内にインサート成形されてもよい。いくつかの実施形態において、ガスケット型のシール配置構成又は他のシール配置構成（シール化合物）などのシール層１２３は、検体センサー電気コネクタ１１５と第１部分１０４及び／又は第２部分１０６の表面との間で使用されてもよい。いくつかの実施形態において、検体センサー電気コネクタ１１５内の表面は、洗浄後の流体排出を容易にするために必要とされるように、傾斜されてもよく、且つ／又は孔が設けられてもよい。
【００２９】
図２は、１つ又は複数の実施形態による検体測定器をクリーニングする方法２００を図示するフローチャートである。処理ブロック２０２において、方法２００は、検体センサー（例えば、検体センサー１０５）を受容するように構成されたセンサーポート（例えば、センサーポート１１６）を有する検体測定器（例えば、検体測定器１００）を提供するステップであって、センサーポートがポート入口（例えば、ポート入口１１９）と洗浄ポート（例えば、洗浄ポート１１８）とを有するステップを含むことができる。処理ブロック２０４において、方法２００は、センサーポートをクリーニングするために、洗浄ポートを通じてクリーニング流体を流すステップを含むことができる。クリーニング方法２００は、検体測定器に悪影響を与えることなく、実行されることができる。
【００３０】
図３は、１つ又は複数の実施形態による検体測定器を製造する方法３００を図示するフローチャートである。処理ブロック３０２において、方法３００は、内部チャンバー（例えば、内部チャンバー１０８）を有する測定器ハウジング（例えば、測定器ハウジング１０２）を提供するステップを含むことができる。処理ブロック３０４において、方法３００は、検体センサー電気コネクタ（例えば、検体センサー電気コネクタ１１５）を提供するステップを含んでもよい。検体センサー電気コネクタは、少なくとも２つの電極（例えば、電極１２１）を含んでもよい。検体センサー電気コネクタ１１５は、測定器ハウジング１０２に対して取り付け可能であってもよい。処理ブロック３０６において、方法３００は、検体測定器バッテリーコネクタ（例えば、バッテリーコネクタ１２７）を提供するステップを含んでもよい。処理ブロック３０８において、方法３００は、検体センサー電気コネクタと内部チャンバーとの間のシール接続を形成するステップを含んでもよい。そして、処理ブロック３１０において、方法３００は、検体測定器バッテリーコネクタと内部チャンバーとの間のシール接続を形成するステップを含んでもよい。シール接続を実行するための任意の適切な手段が使用されてもよい。
【００３１】
方法３００の上記の処理ブロックは、示された且つ記載された順番及び順序に限定されていない順番又は順序で実行されてもよく、又は実施されてもよい。例えば、いくつかの実施形態において、処理ブロック３０４は、処理ブロック３０６の後で、又は処理ブロック３０６と並行して実施されてもよい。同様に、処理ブロック３０８は、処理ブロック３１０の後で、又は処理ブロック３１０と並行して実施されてもよい。
【００３２】
図４〜図６は、内部チャンバー１０８内への液体侵入を防止することができる、シールされたバッテリーコネクタ４２９を含む検体測定器４００の取り外し可能な又は入れ替え可能なバッテリーカートリッジ４２８の一の実施形態を図示する。シールされたバッテリーコネクタ４２９は、一又は複数の実施形態に従って、シールされた接合面又は埋め込み型接合面（ｐｏｔｔｅｄ  ｉｎｔｅｒｆａｃｅ）の使用を介して提供されてもよい。いくつかの実施形態において、入れ替え可能なバッテリーカートリッジ４２８は、スライド可能な挿入を介して測定器ハウジング４０２に取り付けるように構成されてもよい。
【００３３】
図５及び図６に示されるように、いくつかの実施形態は、測定器ハウジング４０２の表面と反対側の一対のＴ字状の保持レール４３０（図５）及びＴ字状のレールを受容するように構成されたバッテリーカートリッジハウジング４２８Ｈにおける対応する一対の保持スロット４３２などの保持特徴を含んでもよい。
【００３４】
図７〜図１１は、一又は複数の実施形態に従って、異なるバッテリーケミストリのバッテリーカートリッジインサートを受容するように構成されたバッテリーカートリッジハウジング７２８Ｈ（図７）を図示する。図８及び図９は、コイン形電池を含んでいるバッテリーインサートアセンブリ８３２を図示しており、図１０及び図１１は、角型電池を含んでいるバッテリーインサートアセンブリ１０３２を図示しており、それぞれ、バッテリーカートリッジハウジング７２８Ｈ内に挿入されるように構成されている。
【００３５】
図１２は、一又は複数の実施形態に従って、（それぞれ図８及び図１０の）位置８２５及び１０２５でインサートに固定されることができるプリント回路基板（ＰＣＢ）１２００を図示する。いくつかの実施形態において、埋め込み用樹脂は、流体密封シール（例えば、防水シール）を生み出して電子機器を封入するように使用されてもよい。ガスケット又は埋め込み用樹脂は、角型電池をシールするために、いくつかの実施形態においてさらに使用されてもよい。プリント回路基板（ＰＣＢ）１２００から延在するバッテリー電気コネクタ１２２７は、例えば、（例えば、接続シール１２７Ｓを有する）シールされた接続に結合してもよく、シールされた接続を検体測定器の測定器ハウジングに提供してもよい。任意選択的に、シールされた電気コネクタは、検体センサー電気コネクタ１１５のためのものと同じものとされてもよい。それ故に、電力は、検体測定器に容易に提供されることができ、内部チャンバー１０８は全体的に密閉してシールされた状態を維持することができる。
【００３６】
図１３〜１７において示されるように、バッテリーインサートアセンブリ８３２、１０３２は第１に、（図１３に示される）バッテリーコネクタの接点がアクセス孔１３３５を通じてスライドするような角度で、バッテリーカートリッジハウジング７２８Ｈ内にスライドされてもよく、次いで、バッテリーインサートアセンブリ８３２、１０３２は、バッテリーカートリッジハウジング７２８Ｈ内に装着されることができる。さらに、いくつかの実施形態において、バッテリーインサートアセンブリ８３２、１０３２は、埋め込み用樹脂又は接着剤によってバッテリーカートリッジハウジング７２８Ｈ内において固定されてもよい。バッテリーインサートアセンブリ１０３２のケースにおいて、このことはまた、液体侵入に対して角形バッテリー及びバッテリー部品を保護することができる。
【００３７】
バッテリーカートリッジハウジング７２８Ｈの実施形態は、多くのバッテリーケミストリが使用されることを可能にすると同時に、検体測定器（又は、他の適切な電池式装置）のための同一の機械的エンベロープを維持することを可能にする。いくつかの実施形態において、バッテリーカートリッジにおける電子機器は、ＩＰ２２基準に適合されるように、液体侵入に対して保護されることができる。このＩＰ２２基準は、国際電気標準会議（ＩＥＣ）によって公開された防塵又は防水の（又は国際的な）保護等級コードの一部である。入れ替え可能なバッテリーカートリッジの実施形態は、検体測定器（又は、他の適切な電池式装置）が液体侵入のためのＩＰ２２基準に適合することを可能にすることができる。入れ替え可能なバッテリーカートリッジの実施形態は、ユーザーが自分で交換可能であってもよく、それ故に、バッテリー／複数のバッテリーの有効期間が切れた場合に、入れ替え可能なバッテリーカートリッジの交換コストを減少させることができる。いくつかの実施形態において、入れ替え可能なバッテリーカートリッジのバッテリーインサートアセンブリ８３２のコイン形電池は、ユーザーが自分で交換可能であってもよい。
【００３８】
図１８〜図２１は、入れ替え可能なバッテリーカートリッジと検体測定器（又は、他の適切な電池式装置）との間の電気的インターフェースを図示する。図１８及び図１９は、電気的インターフェースのより単純な回路トポロジーを図示する。この単純な回路トポロジーにおいて、全てのバッテリーケミストリに共通している電力管理電気回路が検体測定器（又は、他の適切な電池式装置）内に含まれることができるけれども、バッテリーケミストリに特有の電力管理電気回路がバッテリーカートリッジに含まれることができる。図２０及び図２１は、全ての電力管理電気回路がバッテリーカートリッジ内に含まれることができるフルカートリッジ型回路トポロジーを図示する。
【００３９】
それ故に、複数のバッテリーケミストリのバッテリーカートリッジは機械的に且つ電気的に取り換え可能であり、検体測定器（又は、他の適切な電池式装置）が複数のバッテリーケミストリのバッテリーカートリッジから電力を供給されることを可能にする。
【００４０】
前述した説明は、検体測定器、センサーコネクタ、バッテリーかトリッジ、検体測定器を製造する方法及び検体測定器を使用する方法の例示的な実施形態のみを開示する。本願発明の技術的範囲内に含まれる上記に開示された検体測定器、センサーコネクタ、及び方法の変更は、当業者にすぐに明らかになるであろう。それ故に、本願発明がそれらの例示的な実施形態に関連して開示されているけれども、他の実施形態が、以下の特許請求の範囲に規定されるような本願発明の技術的範囲内に含まれる場合があることは理解されるべきである。
【００４１】
１００    検体測定器
１０２    測定器ハウジング
１０４    第１部分
１０５    検体センサー
１０６    第２部分
１０８    内部チャンバー
１１０    プリント回路基板
１１２    第１端部
１１３    第２端部
１１４    凹部ポケット
１１５    検体センサー電気コネクタ
１１６    センサーポート
１１７    コネクタ本体
１１８    洗浄ポート
１１９    ポート入口
１２０    表示画面
１２１    電極
１２２    電気コネクタ
１２３    シール層
１２４    シール材料層
１２５    キーパッド
１２６    薄層
１２７    バッテリーコネクタ
１２７Ｓ  接続シール
１２８    バッテリーパック
２００    クリーニング方法
２０２    処理ブロック
２０４    処理ブロック
３００    方法
３０２    処理ブロック
３０４    処理ブロック
３０６    処理ブロック
３０８    処理ブロック
３１０    処理ブロック
４００    検体測定器
４０２    測定器ハウジング
４２８    バッテリーカートリッジ
４２８Ｈ  バッテリーカートリッジハウジング
４２９    バッテリーコネクタ
４３０    保持レール
４３２    保持スロット
７２８Ｈ  バッテリーカートリッジハウジング
８２５    位置
８３２    バッテリーインサートアセンブリ
１０２５  位置
１０３２  バッテリーインサートアセンブリ
１２００  プリント回路基板（ＰＣＢ）
１２２７  バッテリー電気コネクタ
１３３５  アクセス孔
【図１Ａ】
2019066483.tif 000003
【図１Ｂ】
2019066483.tif 000004
【図１Ｃ】
2019066483.tif 000005
【図１Ｄ】
2019066483.tif 000006
【図１Ｅ】
2019066483.tif 000007
【図１Ｆ】
2019066483.tif 000008
【図１Ｇ】
2019066483.tif 000009
【図１Ｈ】
2019066483.tif 000010
【図２】
2019066483.tif 000011
【図３】
2019066483.tif 000012
【図４】
2019066483.tif 000013
【図５】
2019066483.tif 000014
【図６】
2019066483.tif 000015
【図７】
2019066483.tif 000016
【図８】
2019066483.tif 000017
【図９】
2019066483.tif 000018
【図１０】
2019066483.tif 000019
【図１１】
2019066483.tif 000020
【図１２】
2019066483.tif 000021
【図１３】
2019066483.tif 000022
【図１４】
2019066483.tif 000023
【図１５】
2019066483.tif 000024
【図１６】
2019066483.tif 000025
【図１７】
2019066483.tif 000026
【図１８】
2019066483.tif 000027
【図１９】
2019066483.tif 000028
【図２０】
2019066483.tif 000029
【図２１】
2019066483.tif 000030
【外国語明細書】
2019066483000001.pdf